(57)【特許請求の範囲】
【請求項１】
監視対象装置における異常発生の有無を判断する障害検出手段と、異常が発生したことを表示する障害表示手段とを備えた障害表示回路であって、
前記異常の発生を示す信号を前記障害検出手段から受けるとともに、当該異常発生信号の値を保持する異常発生信号保持手段を備え、
前記障害検出手段が、前記監視対象装置の電源が切断されているか否かを示す電源情報を出力し、
前記異常発生信号保持手段が、前記電源が切断されたことを示す電源情報を入力すると、前記切断の直前の異常発生信号の値を保持し、
前記障害表示手段が、前記異常発生信号保持手段で保持された前記異常発生信号の値にもとづいて、異常が発生したことを表示し、
前記監視対象装置の電源が切断されることにより、前記障害検出手段が当該監視対象装置の異常を検出できない場合に、前記障害表示手段が、前記異常発生信号保持手段で保持された異常発生信号の値にもとづいて、異常が発生したことを表示し、
前記障害検出手段が、ＢＭＣ（Ｂａｓｅｂｏａｒｄ  Ｍａｎａｇｅｍｅｎｔ  Ｃｏｎｔｒｏｌｌｅｒ）であり、
前記異常発生信号保持手段が、論理回路であり、
前記障害表示手段が、ＬＥＤ及び／又はＬＣＤを含み、前記異常が検出されて表示を開始すると、前記電源の切断後も、前記表示を継続する
前記電源が切断されたときに、前記障害表示手段及び／又は前記異常発生信号保持手段に電源を供給する手段として、スタンバイ電源、キャパシタ、二次電池のいずれか一以上を備えた
ことを特徴とする障害表示回路。
【請求項２】
前記監視対象装置が、電源の切断により前記障害検出手段が当該装置の異常を検出できなくなる装置からなる
ことを特徴とする請求項１記載の障害表示回路。
【請求項３】
前記監視対象装置が、ＤＣ電源により駆動する装置からなる
ことを特徴とする請求項１又は２記載の障害表示回路。
【請求項４】
監視対象装置で異常が発生したことを表示する障害表示回路を備えた情報処理装置であって、
前記障害表示回路が、前記請求項１〜請求項３のいずれかに記載の障害表示回路を含む
ことを特徴とする情報処理装置。
【請求項５】
監視対象装置における異常発生の有無を判断し、異常が発生したことを表示する障害表示方法であって、
ＢＭＣ（Ｂａｓｅｂｏａｒｄ  Ｍａｎａｇｅｍｅｎｔ  Ｃｏｎｔｒｏｌｌｅｒ）が、前記異常発生の有無を判断するとともに、前記異常の発生を示す信号を出力し、
論理回路が、
前記異常の発生を示す信号を入力すると、当該異常発生信号の値を保持し、
前記監視対象装置の電源が切断されたことを示す電源情報を入力すると、前記切断の直前の異常発生信号の値を保持し、この保持された前記異常発生信号の値にもとづいて、異常が発生したことを障害表示手段に表示させ、
前記監視対象装置の電源が切断されることにより当該監視対象装置の異常を検出できない場合に、前記保持された異常発生信号の値にもとづいて、異常が発生したことを前記障害表示手段に表示させ、
前記障害表示手段が、ＬＥＤ及び／又はＬＣＤを含み、前記異常が検出されて表示を開始すると、前記電源の切断後も、前記表示を継続し、
前記電源が切断されたときに、前記障害表示手段及び／又は前記論理回路に電源を供給する手段として、スタンバイ電源、キャパシタ、二次電池のいずれか一以上を備えた
ことを特徴とする障害表示方法。
【発明の詳細な説明】
【技術分野】
【０００１】
本発明は、障害の発生をＬＥＤの点灯により表示する障害表示回路、この障害表示回路を有した情報処理装置、及び、障害表示回路の動作を示す障害表示方法に関し、特に、情報処理装置の構成部品で障害が発生したことを検出し、これを表示する障害表示回路、情報処理装置及び障害表示方法に関する。
【背景技術】
【０００２】
パーソナルコンピュータなどに代表される情報処理装置には、障害が起こったことをユーザに知らせるための障害表示回路が備えられている。
障害表示回路は、図３に示すように、各コンポーネント（図示せず）からセンサ情報を受けてそのコンポーネントの正常／異常を判断するＢＭＣ(Baseboard
Management Controller)１１０と、このＢＭＣ１１０で異常なコンポーネントがあると判断された場合に、エラーＬＥＤ点灯信号を受けて点灯する故障表示ＬＥＤ（ＬＥＤ）１２０とを備えている。
これにより、コンポーネントで異常が生じたときに、ＬＥＤ１２０を点灯させて、その異常をユーザ（保守員）に知らせることができる。
【０００３】
ところが、コンポーネントの中には、電源の切断によりセンサ情報の出力を止めるものがあった。そうすると、そのコンポーネントで異常が発生したとしても、電源切断後はＬＥＤが点灯せず、ユーザ（保守員）はその異常を知ることができなかった。
【０００４】
そこで、電源切断後もＬＥＤを継続して点灯させる技術が提案されている。
例えば、制御部からの信号にもとづいて複数のＬＥＤを順次点灯させるレジスタ回路と、電源切断後にＬＥＤに電源を供給する二次バッテリとを備えた技術が提案されている（例えば、特許文献１参照。）。
これによれば、二次バッテリからの電源供給が可能なため、電源切断後も継続してＬＥＤを点灯させることができる。これにより、ユーザ（保守員）は、電源切断前に障害が発生したことを電源切断後においても知ることができる。
【０００５】
また、主回路とスタンバイ回路とを備え、主回路への電源供給が停止するとスタンバイ回路上のＬＥＤを連続点灯し、主回路上で故障が発生するとＬＥＤを点滅させる技術が提案されている（例えば、特許文献２参照。）。
これによれば、主回路への電源供給が停止したこと（正常にスタンバイモードへ移行したこと）を、ＬＥＤの点灯状態により容易に判断できる。
【特許文献１】特開平０５−００２５０９号公報
【特許文献２】特開平０６−３３３１８６号公報
【発明の開示】
【発明が解決しようとする課題】
【０００６】
しかしながら、上記の特許文献１及び２に記載の技術においては、ＡＣ電源が切れた場合もＤＣ電源が切れた場合もどちらも、センサ出力が停止するデバイスについてはＬＥＤ（表示部）を継続点灯させることができなかった。
【０００７】
通常、情報処理装置には、コンポーネントとして、例えば、ＦＡＮやＨＤＤなどが搭載されている。これらは、ＡＣ電源ではなく、ＤＣ電源で動作するため、ＤＣ電源の切断によりセンサ情報の出力が停止する。
具体的には、例えば、ＦＡＮセンサは、回転数をＢＭＣにて監視しているが、ＤＣ電源が切断されると、ゼロ回転となりセンサ情報の出力も停止していた。このため、ＢＭＣでは、ＦＡＮが故障しているかどうかをＤＣ電源切断後に判断することができなかった。
また、ＨＤＤセンサは、ディスクアクセスを実施した際の結果で異常／正常を識別しているが、ＤＣ電源が切断するとディスクアクセスがなくなり異常／正常を識別できなくなっていた。
【０００８】
このように、各コンポーネントからのセンサ信号は、ＨＤＤやＦＡＮなどのように、電源を落としてしまうと異常を示すセンサ情報が入手できなくなるものが多い（ＢＭＣからは正常と認識させてしまう）。
そのため、ＦＡＮやＨＤＤ障害などの場合、電源を落としてしまうとＢＭＣは障害情報を保持できず、保守員が現地に駆けつけても故障箇所の確認がしにくいのが現状であった。
【０００９】
つまり、情報処理装置には、ＤＣ電源の切断によりセンサ情報の出力が停止するコンポーネントが備えられているものの、特許文献１及び２に記載の技術を用いても、それらコンポーネントにおける異常の発生については、電源停止後に把握することができなかった。
【００１０】
本発明は、上記の事情にかんがみなされたものであり、ＤＣ電源の切断によりセンサ情報の出力が停止するコンポーネントが備えられた情報処理装置において、ＤＣ電源が切断されてもＬＥＤを継続点灯させることができ、保守員による故障箇所の確認を容易にする障害表示回路、情報処理装置及び障害表示方法の提供を目的とする。
【課題を解決するための手段】
【００１１】
この目的を達成するため、本発明の障害表示回路は、監視対象装置における異常発生の有無を判断する障害検出手段と、異常が発生したことを表示する障害表示手段とを備えた障害表示回路であって、異常の発生を示す信号を障害検出手段から受けるとともに、当該異常発生信号の値を保持する異常発生信号保持手段を備え、障害検出手段が、監視対象装置の電源が切断されているか否かを示す電源情報を出力し、異常発生信号保持手段が、電源が切断されたことを示す電源情報を入力すると、切断の直前の異常発生信号の値を保持し、障害表示手段が、異常発生信号保持手段で保持された異常発生信号の値にもとづいて、異常が発生したことを表示し、監視対象装置の電源が切断されることにより、障害検出手段が当該監視対象装置の異常を検出できない場合に、障害表示手段が、異常発生信号保持手段で保持された異常発生信号の値にもとづいて、異常が発生したことを表示し、障害検出手段が、ＢＭＣ（Ｂａｓｅｂｏａｒｄ  Ｍａｎａｇｅｍｅｎｔ  Ｃｏｎｔｒｏｌｌｅｒ）であり、異常発生信号保持手段が、論理回路であり、障害表示手段が、ＬＥＤ及び／又はＬＣＤを含み、異常が検出されて表示を開始すると、電源の切断後も、表示を継続する電源が切断されたときに、障害表示手段及び／又は異常発生信号保持手段に電源を供給する手段として、スタンバイ電源、キャパシタ、二次電池のいずれか一以上を備えた構成としてある。
【００１２】
また、本発明の情報処理装置は、監視対象装置で異常が発生したことを表示する障害表示回路を備えた情報処理装置であって、障害表示回路が、特許請求の範囲の請求項１〜請求項６のいずれかに記載の障害表示回路を含む構成としてある。
【００１３】
また、本発明の障害表示方法は、監視対象装置における異常発生の有無を判断し、異常が発生したことを表示する障害表示方法であって、ＢＭＣ（Ｂａｓｅｂｏａｒｄ  Ｍａｎａｇｅｍｅｎｔ  Ｃｏｎｔｒｏｌｌｅｒ）が、異常発生の有無を判断するとともに、異常の発生を示す信号を出力し、論理回路が、異常の発生を示す信号を入力すると、当該異常発生信号の値を保持し、監視対象装置の電源が切断されたことを示す電源情報を入力すると、切断の直前の異常発生信号の値を保持し、この保持された異常発生信号の値にもとづいて、異常が発生したことを障害表示手段に表示させ、監視対象装置の電源が切断されることにより当該監視対象装置の異常を検出できない場合に、保持された異常発生信号の値にもとづいて、異常が発生したことを障害表示手段に表示させ、障害表示手段が、ＬＥＤ及び／又はＬＣＤを含み、異常が検出されて表示を開始すると、電源の切断後も、表示を継続し、電源が切断されたときに、障害表示手段及び／又は論理回路に電源を供給する手段として、スタンバイ電源、キャパシタ、二次電池のいずれか一以上を備えた方法としてある。
【発明の効果】
【００１４】
本発明の障害表示回路、情報処理装置及び障害表示方法によれば、異常発生信号保持手段が異常発生信号の値を保持し、電源切断後には、その保持された異常発生信号の値にもとづいて障害表示手段を動作させる構成としたので、電源が切断されてもＬＥＤを継続点灯させることができる。これにより、保守員による故障箇所の確認を容易にする。
【発明を実施するための最良の形態】
【００１５】
以下、本発明に係る障害表示回路、情報処理装置及び障害表示方法の好ましい実施形態について、図面を参照して説明する。
【００１６】
まず、本発明の障害表示回路、情報処理装置及び障害表示方法の実施形態について、図１を参照して説明する。
同図は、本実施形態の障害表示回路の構成を示すブロック図である。
【００１７】
同図に示すように、本実施形態の障害表示回路１０は、ＢＭＣ１１と、故障表示ＬＥＤ（ＬＥＤ）１２と、スタンバイ電源１３と、キャパシタ（二次電池）１４と、論理回路１５とを備えている。
ＢＭＣ（障害検出手段）１１は、情報処理装置の各コンポーネント（監視対象装置、図示せず）からセンサ情報を収集し、その情報にもとづいてコンポーネントの正常／異常を判断する。判断の結果、異常なコンポーネントがあると判断したときは、異常を示すエラーＬＥＤ点灯信号（異常発生信号）を論理回路１５へ送る。
【００１８】
コンポーネントとは、情報処理装置を構成する部品をいう。このコンポーネントには、例えば、ＦＡＮやＨＤＤのように、ＤＣ電源が供給されていないと故障判別ができず、異常が発生したことを示すセンサ情報を出力できない部品を含む。
なお、本実施形態においては、監視対象装置の例としてコンポーネントを挙げたが、監視対象装置は、コンポーネントに限るものではなく、異常発生の有無を示すセンサ情報を出力可能な装置やデバイスを含む。
また、本実施形態において情報処理装置とは、ＦＡＮやＨＤＤなどのコンポーネント（構成部品）を備えた装置や機器、具体的には、例えば、パーソナルコンピュータ、サーバ、ブレードシステム、画像形成装置（プリンタ，コピー機，ファクシミリ，複合装置等）などを含む。
【００１９】
また、ＢＭＣ１１は、現在の電源の状態（DC-ON/DC-OFF/AC-OFF）を示す信号（電源情報）を生成し、論理回路１５へ出力する。
電源情報が示す電源の状態には、例えば、（DC-ON/AC-ON），（DC-OFF/AC-ON），（DC-OFF/AC-OFF）などがある。
なお、ＤＣ電源は、ＡＣ電源を整流してつくる。このため、ＤＣ電源がＯＦＦでＡＣ電源がＯＮの場合は想定されるが、ＡＣ電源がＯＦＦになれば、ＤＣ電源もＯＦＦになる。
【００２０】
ＬＥＤ（障害表示手段）１２は、通常時は消灯しており、点灯（異常）を示す論理回路出力信号を受けると点灯又は点滅する。これにより、現在（ＤＣ電源切断後は、過去）においていずれかのコンポーネントで異常が発生したことを表示（報知）する。
スタンバイ電源１３は、ＤＣ電源（図示せず）の供給が切断されたとき（DC-OFFの場合）に、論理回路１５やＬＥＤ１２へ電源を供給する。
キャパシタ（二次電池）１４は、ＡＣ電源（図示せず）の供給が切断されたとき（AC-OFFの場合）に、論理回路１５やＬＥＤ１２へ電源を供給する。
【００２１】
論理回路（レジスタ回路、異常発生信号保持手段）１５は、ＢＭＣ１１からエラーＬＥＤ点灯信号を受けると、このエラーＬＥＤ点灯信号の示す値を保持する。そして、このエラーＬＥＤ点灯信号の値にもとづく論理回路出力信号（出力信号）をＬＥＤ１２へ送る。この出力信号は、電源の状態によって異なる。
例えば、AC-ON状態であってDC-ON状態の場合は、ＢＭＣ１１から送られてきたエラーＬＥＤ点灯信号の値をそのままＬＥＤ１２へ出力する。
障害などが発生したためにDC-OFFに電源の状態が移る場合には、DC-OFF状態へ移行する直前のエラーＬＥＤ点灯信号の値（DC-ON状態における最後のエラーＬＥＤ点灯信号の値）を、DC-OFF状態移行後も保持する。このエラーＬＥＤ点灯信号を保持するトリガ信号として電源情報を使用する。
【００２２】
このような構成によれば、DC-OFF状態になった場合に、ＢＭＣ１１でセンサからの障害情報が取得できなくなるコンポーネントがあるときでも、論理回路１５においてエラーＬＥＤ点灯信号の値を保持し、この保持した値にもとづく信号をＬＥＤ１２に出力するとともに、スタンバイ電源１３やキャパシタ（二次電池）１４で通電させることで、DC-OFF状態（さらにDC-OFF/AC-OFF状態）でもＬＥＤ１２を継続点灯させることができる。
【００２３】
（障害表示方法）
次に、本実施形態の障害表示回路の動作（障害表示方法）について、図２を参照して説明する。
同図は、障害表示回路で送受信される各信号の変化と、ＬＥＤの点灯・消灯の変化を示す波形図である。
【００２４】
（AC-ON/DC-ON状態）
まず、AC-ON/DC-ON状態（通常時）における障害表示方法について説明する。
同図に示すように、電源情報は、電源状態が正常であるため、「Ｈ（High）」の状態で、ＢＭＣ１１から論理回路１５へ出力される（同図（ｉ））。
センサ情報は、コンポーネントが正常に動作しているときは、「Ｌ（Low）」の状態で、コンポーネントからＢＭＣ１１へ出力される。一方、コンポーネントで異常が発生したときは、「Ｈ」の状態で出力される（同図（ii））。
エラーＬＥＤ点灯信号は、センサ情報と同じ値でＢＭＣ１１から論理回路１５へ出力される。すなわち、コンポーネントが正常に動作しているときは、「Ｌ」の状態で出力され、コンポーネントで異常が発生したときは、「Ｈ」の状態で出力される（同図（iii））。
【００２５】
論理回路出力信号は、エラーＬＥＤ点灯信号と同じ値で論理回路１５からＬＥＤ１２へ出力される。すなわち、コンポーネントが正常に動作しているときは、「Ｌ」の状態で出力され、コンポーネントで異常が発生したときは、「Ｈ」の状態で出力される（同図（iv））。
ＬＥＤ１２は、論理回路出力信号が「Ｌ」のときは消灯し、「Ｈ」のときは点灯する。このため、コンポーネントが正常に動作しているときは消灯し、コンポーネントで異常が発生したときは点灯する（同図（ｖ））。
【００２６】
（AC-ON/DC-OFF状態への移行時）
次に、何らかのトラブルでＤＣ電源が落ちたために、AC-ON/DC-ON状態（通常時）からAC-ON/DC-OFF状態へ移行した場合における障害表示方法について説明する。
図２に示すように、電源情報は、AC-ON/DC-OFF状態への移行時には、「Ｈ」から「Ｌ」へ切り換わる（同図（ｉ））。
【００２７】
センサ情報は、コンポーネントから出力されるが、ＦＡＮやＨＤＤのように、ＤＣ電源が切断されると情報が取得できなくなるコンポーネント（デバイス）では、AC-ON/DC-OFF状態への移行時に、センサ情報の値が「Ｈ」から「Ｌ」へ落ちる（同図（ii））。
エラーＬＥＤ点灯信号は、センサ情報と同じ値でＢＭＣ１１から論理回路１５へ出力される。このため、センサ情報が落ちたことで、エラーＬＥＤ点灯信号も「Ｈ」から「Ｌ」へ落ちる（同図（iii））。
【００２８】
論理回路出力信号は、論理回路１５から出力される。論理回路１５は、電源情報をトリガ信号として、DC-OFF状態への移行時に、DC-ON状態での最後のエラーＬＥＤ点灯信号を保持する。すなわち、DC-OFF状態への移行時に、DC-ON状態での最後のエラーＬＥＤ点灯信号が「Ｈ」の場合は、この「Ｈ」が保持される。一方、そのエラーＬＥＤ点灯信号が「Ｌ」の場合は、この「Ｌ」が保持される。なお、図２においては、DC-ON状態での最後のエラーＬＥＤ点灯信号が「Ｈ」であるため、この「Ｈ」が保持される（同図（iv））。
【００２９】
（AC-ON/DC-OFF状態への移行後）
次に、AC-ON/DC-OFF状態へ移行した後における障害表示方法について説明する。
図２に示すように、電源情報は、ＤＣ電源がOFFであるため、「Ｌ」の状態で出力される（同図（ｉ））。
センサ情報は、「Ｌ」の状態で出力される（同図（ii））。これは、ＦＡＮ等のようなコンポーネントでは、ＤＣ電源の切断により情報が取得できなくなるからである。このため、仮に、コンポーネントに異常が発生してDC-OFF状態になったときでも、センサ情報は、「Ｌ」の状態で出力される。
【００３０】
エラーＬＥＤ点灯信号は、センサ情報と同様に、「Ｌ」の状態で出力される（同図（iii））。
論理回路出力信号は、論理回路１５にて、DC-OFF状態への移行時に、DC-ON状態での最後のエラーＬＥＤ点灯信号の値が保持されていることから、この保持された状態で出力される（同図（iv））。すなわち、DC-OFF状態への移行時に、DC-ON状態での最後のエラーＬＥＤ点灯信号が「Ｈ」の場合は、この「Ｈ」で出力される。一方、そのエラーＬＥＤ点灯信号が「Ｌ」の場合は、この「Ｌ」で出力される。なお、図２においては、DC-ON状態での最後のエラーＬＥＤ点灯信号が「Ｈ」であるため、論理回路出力信号は、「Ｈ」の状態で出力される。
【００３１】
ＬＥＤ１２は、論理回路出力信号にしたがって消灯又は点灯する。このため、DC-OFF状態への移行時に、DC-ON状態での最後のエラーＬＥＤ点灯信号が「Ｈ」の場合は、論理回路出力信号が「Ｈ」で出力されるため、点灯する。一方、そのエラーＬＥＤ点灯信号が「Ｌ」の場合は、論理回路出力信号が「Ｌ」で出力されるため、消灯する（同図（ｖ））。なお、図２においては、DC-ON状態での最後のエラーＬＥＤ点灯信号が「Ｈ」であるため、論理回路出力信号は、「Ｈ」の状態で出力され、ＬＥＤ１２は、点灯する。
【００３２】
以上説明したように、本実施形態の障害表示回路、情報処理装置及び障害表示方法によれば、障害表示ＬＥＤに情報保持のための論理回路（レジスタ回路）を組み合わせ、さらに、電源が切れても継続表示を可能とするために、スタンバイ電源やバッテリ（キャパシタや電池）による電力供給を行うことで、ＤＣ電源切断後も、障害表示ＬＥＤを継続点灯させることができる。
例えば、論理回路においては、ＤＣ電源ＯＦＦ（DC-OFF/AC-OFF）以降は、ＢＭＣからの新しいエラーＬＥＤ点灯信号は無視し、電源ＯＦＦへ移る直前の最後の信号値を保持する。また、論理回路には、スタンバイ電源やバックアップ用のキャパシタもしくは電池をつないでおく。このように、レジスタ回路、スタンバイ電源またはバックアップ電池を使用することで、電源ＯＦＦ以降の障害表示ＬＥＤを継続点灯させることができる。
【００３３】
さらに、電源ＯＦＦ以降もＬＥＤを継続点灯させることで、保守員による故障箇所の確認がしやすくなるとともに、人為的ミスを削減できる。
例えば、サーバなどの装置が同じ部屋にたくさん並べられている場合において、故障の発生を示すアラーム通報がＢＭＣからＬＡＮ経由で保守員に伝わると、保守員はその部屋に保守に駆けつける。ここで、各サーバが本発明の障害表示回路を搭載していれば、保守員は、故障している装置を一目で見つけ出すことができる。
ところが、本発明の障害表示回路が搭載されていないと、故障があってＤＣ電源が落ちた装置と、意図的に電源を落とした装置との区別がつかなくなり、保守員は、意図的に電源を落とした装置を誤って保守してしまうことも考えられる。
そこで、サーバ等の装置に本発明の障害表示回路を搭載することで、故障した装置を即座に見つけ出すことができ、人為的ミスを削減できる。
【００３４】
以上、本発明の障害表示回路、情報処理装置及び障害表示方法の好ましい実施形態について説明したが、本発明に係る障害表示回路、情報処理装置及び障害表示方法は上述した実施形態にのみ限定されるものではなく、本発明の範囲で種々の変更実施が可能であることは言うまでもない。
例えば、上述した実施形態では、障害表示手段としてＬＥＤを示したが、障害表示手段は、ＬＥＤに限定されるものではなく、例えば、ＬＣＤ(Liquid
Crystal Display)を用いることもできる。
【産業上の利用可能性】
【００３５】
本発明は、情報処理装置の構成部品で発生した異常を表示する回路に関する発明であるため、異常の発生を表示する回路を備えた装置や機器に利用可能である。
【図面の簡単な説明】
【００３６】
【図１】本発明の実施形態における障害表示回路の構成を示すブロック図である。
【図２】本発明の実施形態における障害表示回路の動作を示すタイムチャートである。
【図３】関連する障害表示回路の構成を示すブロック図である。
【符号の説明】
【００３７】
１０  障害表示回路
１１  ＢＭＣ
１２  ＬＥＤ
１３  スタンバイ電源
１４  キャパシタ（二次電池）
１５  論理回路
【図１】
0004973547.tif 000002
【図２】
0004973547.tif 000003
【図３】
0004973547.tif 000004